(57)【要約】【課題】            従来ユーザーにＰＯＰ等の広告手段要素をＡＳＰサービスとして提供する場合、そのシステムラインの特性から、メーカーの製造した商品の広告を行なうための料金を、その商品を販売する流通店舗等のユーザーが負担しなければならないという点である。【解決手段】        ＡＳＰサービスシステムはメーカーサイドが仲介本部に対し、流通コンテンツとしての広告手段要素を端末を用いて有料で送信し、仲介本部は受信した前記広告手段要素を加工してサーバーへアップロードし、前記した広告手段要素を使用する店舗等のユーザーは前記したサーバーから無料で前記した広告手段要素をダウンロードすることとし、前記した広告手段要素はＰＯＰ、動画、商品画像、音声のうちの一つ、もしくはこれらが組み合わせられたものとすることとし、前記したサーバーからメーカーサイドも広告手段要素をダウンロードし、各種目的に使用することができることとする。【選択図】          図１
2008269049.tif 000002
【特許請求の範囲】
【請求項１】
メーカーサイドが仲介本部に対し、流通コンテンツとしての広告手段要素を端末を用いて有料で送信し、仲介本部は受信した前記広告手段要素を加工してサーバーへアップロードし、前記した広告手段要素を使用する店舗等のユーザーは前記したサーバーから無料で前記した広告手段要素をダウンロードすることを特徴とするＡＳＰサービスシステム。
【請求項２】
前記した広告手段要素はＰＯＰ、動画、商品画像、音声のうちの一つ、もしくはこれらが組み合わせられたものとすることを特徴とする請求項１に記載のＡＳＰサービスシステム。
【請求項３】
前記したサーバーからメーカーサイドも広告手段要素をダウンロードし、各種目的に使用することができることを特徴とする請求項１または請求項２に記載のＡＳＰサービスシステム。
【発明の詳細な説明】
【技術分野】
【０００１】
本発明はＡＳＰ（Ａｐｐｌｉｃａｔｉｏｎ  Ｓｅｒｖｉｃｅ  Ｐｒｏｖｉｄｅｒ）サービスシステム、即ち、ユーザーが個々にソフトウェアを所有する必要なく、サーバーにインストールすることで利用することができるサービス、特に流通店舗等のユーザーが商品の広告手段要素として、ＰＯＰ（Ｐｏｉｎｔ  ｏｆ  Ｐａｒｃｈａｓ  ａｄ.  購買時点広告）や動画（映像）、商品画像、音声（音楽や電子音声）等のコンテンツを無料で利用することを可能とするＡＳＰサービスシステム。
【背景技術】
【０００２】
従来、ＡＳＰサービスシステム、特に、商品の広告手段要素としてメーカーサイドがＰＯＰ等を流通店等のユーザーに提供する場合、多くは図２として示すような構成とされている。即ち、メーカーサイドから依頼を受け仲介本部となる企業（例えばスコープ社）１がコンテンツ開発として各商品のＰＯＰの企画、デザインそしてそれに伴う情報をまとめ、ＤＰＰ（Ｄｉｇｉｔａｌ  Ｐｈｏｔｏ  Ｐｒｉｎｔｅｒ）サーバー２にアップロードする。
【０００３】
このＤＰＰサーバー２にあってはアップロードされたＰＯＰデータに基づいて基本ＰＯＰのほか、シーズンＰＯＰ、速報、情報ＰＯＰ等のプリントサービスが行なわれ、流通店舗等のユーザー３にあっては、ＤＰＰサーバー２からデータを端末にダウンロードし、これをプリントアウトして商品単品の訴求や売り場作りに使用することとなる。
【０００４】
しかしながら、この従来のＡＳＰサービスシステムにあっては、最終の流通店舗等のユーザー３が広告手段要素をダウンロードする際に料金がかかるものとなっている。従って、この従来のＡＳＰサービスシステムにあっては、サービスをユーザーが受けるという原則のシステム上、メーカーが製造した商品の広告料金を販売側となるユーザーが負担するというものとなってしまっている。
【特許文献１】特開平１０−２５４９５６号公報
【特許文献２】特開２００１−１７５７４０号公報
【発明の開示】
【発明が解決しようとする課題】
【０００５】
本発明が解決しようとする問題点は、従来ユーザーにＰＯＰ等の広告手段要素をＡＳＰサービスとして提供する場合、そのシステムラインの特性から、メーカーの製造した商品の広告を行なうための料金を、その商品を販売する流通店舗等のユーザーが負担しなければならないという点である。
【課題を解決するための手段】
【０００６】
この目的を達成するために、本発明に係るＡＳＰサービスシステムはメーカーサイドが仲介本部に対し、流通コンテンツとしての広告手段要素を端末を用いて有料で送信し、仲介本部は受信した前記広告手段要素を加工してサーバーへアップロードし、前記した広告手段要素を使用する店舗等のユーザーは前記したサーバーから無料で前記した広告手段要素をダウンロードすることを特徴としている。
【０００７】
また、本発明に係るＡＳＰサービスシステムは前記した広告手段要素はＰＯＰ、動画、商品画像、音声のうちの一つ、もしくはこれらが組み合わせられたものとすることを特徴とし、前記したサーバーからメーカーサイドも広告手段要素をダウンロードし、各種目的に使用することができることを特徴としている。
【発明の効果】
【０００８】
本発明に係るＡＳＰサービスシステムは上記のように構成されている。そのため、ＰＯＰをはじめとする広告手段要素をメーカーサイドが仲介本部に依頼し、広告作業を行なうについて、システムとしての費用はこのメーカーサイドから仲介本部への依頼時に発生し、仲介本部がアップロードしたサーバーから流通店舗等のユーザーがこれをダウンロードし、実際に使用することに関しては無料とすることができる。従って、流通店舗等のユーザーはＰＯＰその他の広告手段要素を必要に応じて、自由にダウンロード及びプリントアウトすることができることとなり、これはメーカーサイドにとっても広告効果をより一層強く得られ、売り上げ増にもつながり、メーカーサイド及びユーザーの両者にとって大きな利益効果が生じることとなるのである。
【発明を実施するための最良の形態】
【０００９】
図面として示し、実施例で説明したような構成とすることで実現した。
【実施例１】
【００１０】
次に、本発明の好ましい実施の一例を図１を参照して説明する。図１は本発明を実施したＡＳＰサービスシステムを示す概要図である。
【００１１】
この図１にあって４はメーカーサイドを示し、このメーカーサイド４は仲介本部（例えばスコープ社）１に対してＰＯＰ掲載の依頼をそのＰＯＰのデータ（例えばＡ、Ｂ、Ｃ）の用意、提供と共に行なう。この依頼の際に料金が発生し、この料金はメーカーサイド４が仲介本部１に対して支払われるものとなる。
【００１２】
メーカーサイド４からＰＯＰのデータを提示され、その掲載を依頼された仲介本部１は受けたＰＯＰのデータに加工を行なったうえでサーバー（ＤＰＰサーバー）２へアップロードする。ここで、仲介本部１におけるＰＯＰのデータ加工にはメーカーサイド４でデザインしたものを基として種々の形態に応用することのほか、ＰＯＰのデータバンクの作成作業も含まれることとなる。
【００１３】
また、前記したサーバー２にあっては従来と同様にプリントサービスがなされ、これには基本ＰＯＰのほか、速報、情報等のＰＯＰもオプションとして含まれることとなる。
【００１４】
流通店舗等のユーザー３はこのサーバー２からインターネット回線を介して端末に前記したＰＯＰ（Ａ、Ｂ、Ｃ）をダウンロードすることができ、このシステムにあってはこのダウンロードのサービスが無料にて実施されるものとしている。
【００１５】
ユーザー３は端末にダウンロードしたＰＯＰをプリンターでプリントアウトして、商品に貼装したり、売り場に掲げたりして商品訴求や売り場作りを実行することができることとなり、ダウンロードサービスが無料のためユーザー３はメーカーサイド４が製造した商品の広告作業に料金を負担することがなくなる。
【００１６】
また、前記したサーバー２にはメーカーサイド４もアクセスすることができることとなり、メーカーサイド４も無料で前記したＰＯＰをダウンロードすることができ、これを営業支援ツールとして社内活用すること等も行なえることとなる。
【産業上の利用可能性】
【００１７】
本発明に係るＡＳＰサービスシステムの実施例は上記のように構成されている。この実施例にあっては広告手段要素としてＰＯＰを例としているが、本発明にあってはこのＰＯＰに限定されることなく、広告のための動画、商品画像や音声も対象とすることができ、この動画、商品画像や音声の場合は流通店舗等のユーザー側に設けられたモニター画面やプレイヤー等の再生機器を介して需要者向けに提供されることとなる。
【００１８】
このように、本発明に係るＡＳＰサービスシステムはメーカーサイドが仲介本部に支払う料金、即ち、商品の広告料によって運営されることとなり、商品を販売するユーザーにはＡＳＰサービスの使用料については金銭的な負担は一切ないものとなる。
【図面の簡単な説明】
【００１９】
【図１】本発明を実施したＡＳＰサービスシステムを示す概要図である。
【図２】従来のＡＳＰサービスシステムを示す概要図である。
【符号の説明】
【００２０】
１    仲介本部
２    サーバー
３    ユーザー
４    メーカーサイド
【図１】
2008269049.tif 000003
【図２】
2008269049.tif 000004